(57)【要約】【課題】従来のレンズ鏡筒においては、遮光部材の先端部で光線が透過しやすく、フレア等の光学的問題を発生するという課題を有していた。【解決手段】レンズ鏡筒は、レンズと、当該レンズの近傍に設けられ、当該レンズに入射する光線の一部を遮る遮光部材であって、ポリマーアロイ樹脂を主材料とする遮光部材とを備えている。【選択図】図６
2011048348.tif 000002
【特許請求の範囲】
【請求項１】
レンズと、
前記レンズの近傍に設けられ、前記レンズに入射しようとする光線の一部を遮る遮光部材であって、ポリマーアロイ樹脂を主材料とする遮光部材と
を備えたレンズ鏡筒。
【請求項２】
前記遮光部材は射出成形によって作製されている、請求項１に記載のレンズ鏡筒。
【請求項３】
前記ポリマーアロイ樹脂は、ＡＢＳとポリカーボネートとを含む、請求項１または２に記載のレンズ鏡筒。
【請求項４】
前記ポリマーアロイ樹脂には、カーボンブラックが添加されている、請求項３に記載のレンズ鏡筒。
【請求項５】
前記遮光部材は、前記レンズの周辺部分を覆うように設けられている、請求項１から４のいずれかに記載のレンズ鏡筒。
【請求項６】
前記ポリマーアロイ樹脂はＡＢＳを含む、請求項１または２に記載のレンズ鏡筒。
【請求項７】
請求項１に記載のレンズ鏡筒を備えた、撮像装置。
【発明の詳細な説明】
【技術分野】
【０００１】
本発明は、撮像装置のレンズ鏡筒に関する。より具体的には、本発明は、レンズの周辺を覆うように設けられ、レンズに入射する不要な光線を遮る遮光部材を備えた、レンズ鏡筒に関する。
【背景技術】
【０００２】
スティルカメラなどの光学機器は、レンズ鏡筒に入射した光線をレンズによって集束させ、フィルムや撮像素子などを用いてその像を撮影する。しかしながら、レンズ鏡筒内には、そのような撮影に必要な光線だけでなく、たとえばレンズ鏡筒内を反射してレンズに到達する光線のような、撮影には必要のない不要な光線も存在する。不要な光線がフィルムや撮像素子に到達すると、撮影された被写体像にゴーストあるいはフレアを生じさせる。よってそのような不要な光線がレンズに入射しないように遮る必要がある。
【０００３】
図７を参照しながら、従来のレンズ鏡筒を説明する。
【０００４】
図７は従来のレンズ鏡筒１００の部分拡大図である。レンズ鏡筒１００には、レンズ１０２が接着されて取り付けられている。レンズ鏡筒１００の内部をレンズ１０２へ向かって進む光線には、撮影に必要とされる有効光線１０４と、不要光線１０５とが含まれている。遮光部材１０３は、レンズ１０２に入射しようとする不要光線１０５をカットするために、レンズ１０２の周辺を覆うように設けられている。
【０００５】
特許文献１には、レンズ鏡筒内の部品の一部に遮光板を設け、不要な光線をカットする技術が開示されている（たとえば図４および５）。
【先行技術文献】
【特許文献】
【０００６】
【特許文献１】特開２００９−１１６０８５号公報
【発明の概要】
【発明が解決しようとする課題】
【０００７】
図７に示す従来のレンズ鏡筒１００において、遮光部材１０３は、一般に、ＡＢＳ（Acrylonitrile-Butadiene-Styrene resin）などの熱可塑性樹脂にカーボンブラックを添加した樹脂によって成形されていることが多い。遮光部材１０３の先端部１０３ａは不要光線１０５の乱反射によるフレアを防止するために鋭角状に尖っている必要がある。
【０００８】
図８は従来の遮光部材１０３の先端の断面模式図である。遮光部材１０３は、ＡＢＳ等の樹脂の主材料１０７に、カーボンブラック１０８が添加されて形成されている。
【０００９】
図８に示すように、遮光部材１０３の先端部１０３ａでは肉厚が薄い。すると、この先端部１０３ａを不要光線１０５が透過する。この結果、不要光線１０５によってフレアやゴーストといった光学的問題が発生していた。これは、遮光部材１０３を設けたにもかかわらず、このような光学的問題が依然として解決されていなかったことを意味する。
【００１０】
本発明は上記課題を解決するためになされたものであり、従来よりも不要な光線の透過が十分少なく、フレアやゴースト等の光学的問題の発生させにくいレンズ鏡筒を提供することを目的とする。
【課題を解決するための手段】
【００１１】
本発明によるレンズ鏡筒は、レンズと、前記レンズの近傍に設けられ、前記レンズに入射しようとする光線の一部を遮る遮光部材であって、ポリマーアロイ樹脂を主材料とする遮光部材とを備えている。
【００１２】
前記遮光部材は射出成形によって作製されていてもよい。
【００１３】
前記ポリマーアロイ樹脂は、ＡＢＳとポリカーボネートとを含んでもよい。
【００１４】
前記ポリマーアロイ樹脂には、カーボンブラックが添加されていてもよい。
【００１５】
前記遮光部材は、前記レンズの周辺部分を覆うように設けられていてもよい。
【００１６】
前記ポリマーアロイ樹脂はＡＢＳを含んでもよい。
【００１７】
本発明による撮像装置は、上述のレンズ鏡筒を備えている。
【発明の効果】
【００１８】
本発明のレンズ鏡筒は、ＡＢＳとポリカーボネート等のポリマーアロイ樹脂に、カーボンブラックを添加した樹脂材料によって射出成形された遮光部材を設けることによって、光線の透過が少なく、フレアやゴースト等の光学的問題の発生しにくいレンズ鏡筒を実現する。
【図面の簡単な説明】
【００１９】
【図１】レンズ鏡筒５０を備えたデジタルカメラ４０の外観図である。
【図２】デジタルカメラ４０のレンズ鏡筒５０を含む部分の断面図である。
【図３】沈胴した状態にあるときのレンズ鏡筒５０の断面図である。
【図４】繰り出された状態にあるときのレンズ鏡筒５０の断面図である。
【図５】レンズＬ３と遮光部材６との位置関係を示す部分拡大図である。
【図６】遮光部材６の先端部６ａの断面模式図である。
【図７】従来のレンズ鏡筒１００の部分拡大図である。
【図８】従来の遮光部材１０３の先端の断面模式図である。
【発明を実施するための形態】
【００２０】
図１は、レンズ鏡筒５０を備えたデジタルカメラ４０の外観図である。電源スイッチ６０により電源が投入されると、デジタルカメラ１００のレンズ鏡筒５０が繰り出され、撮影が可能になる。
【００２１】
なお図１にはデジタルカメラ１００が示されているが、これは撮像装置の一例である。デジタルカメラではなく、フィルムカメラであってもよいし、また、レンズ鏡筒５０を取り外して交換することが可能なカメラであってもよい。さらに、スティルカメラではなく、動画を撮影可能なカムコーダであってもよい。
【００２２】
図２は、デジタルカメラ４０のレンズ鏡筒５０を含む部分の断面図を示している。図２は、図１のＺ軸に沿ってみたときの断面図である。レンズ鏡筒５０は、電源スイッチ６０がオフのときは沈胴した状態にあり、オンのときは繰り出された状態になる。図２では、レンズ鏡筒５０は、沈胴した状態にある。
【００２３】
図３は、沈胴した状態にあるときのレンズ鏡筒５０の断面図である。また図４は、繰り出された状態にあるときのレンズ鏡筒５０の断面図である。なお、図３および図４には、理解の便宜のため主要部品のみを記載したレンズ鏡筒５０が示されている。実際にはより多くの部品が含まれ得る。
【００２４】
以下、図４を参照しながらレンズ鏡筒５０の主要な構成要素を説明する。
【００２５】
外部からみると、レンズ鏡筒５０はレンズ枠１、駆動枠２および外枠３を備えている。
【００２６】
レンズ枠１には、レンズＬ１およびＬ２が設けられる。駆動枠２は、レンズ枠１に対して相対的に移動する。レンズ枠１と駆動枠２との間には遮光リング４が設けられている。この遮光リング４を設ける目的は、レンズ枠１と駆動枠２との間から入射するすべての光線を遮ること、および、レンズ枠１と駆動枠２の間から入ってくる異物（たとえば埃）を防ぐことにある。そのため、遮光リング４はレンズ鏡筒５０の内部に設けられるのではなく、レンズ枠１および駆動枠２の間であって、かつ、レンズ枠１が繰り出される駆動枠２のエッジに近い位置に設けられる。外枠３はデジタルカメラ４０の筐体に取り付けられる。
【００２７】
レンズ鏡筒５０の内部には、さらにレンズＬ３〜Ｌ７、および、撮像素子５が設けられている。ここで、レンズＬ３に着目する。
【００２８】
本実施形態においては、レンズＬ３の近傍には、遮光部材６が設けられている。遮光部材６は、レンズＬ３の周囲に沿って、その周辺部分を覆っている。遮光部材６が設けられることにより、フレアやゴーストを発生させる不要光線がレンズＬ３に入射することを防ぐことが可能となる。レンズ鏡筒５０の比較的奥の位置に存在するレンズＬ３近傍に遮光部材６を設けた理由は、不要光線に起因するフレアの悪影響は、不要光線が撮像素子５に近い位置のレンズに入射するほど大きく現れるからである。
【００２９】
ここで、図５を参照しながら、遮光部材６をより詳細に説明する。
【００３０】
図５は、レンズＬ３と遮光部材６との位置関係を示す部分拡大図である。レンズＬ３は、レンズ鏡筒５０のレンズ保持枠７に接着によって取り付けられている。そして遮光部材６は、レンズＬ３の周囲に沿って、レンズＬ３の半径方向内側に張り出すように設けられており、これにより、レンズＬ３の周辺部分からレンズＬ３に入射しようとする不要光線１１を遮る。不要光線１１とは、たとえばレンズ鏡筒５０に入射した後にその内壁で反射した光線である。遮光部材６を設けることにより、レンズＬ３には撮影の対象である有効光線１０のみが入射する。
【００３１】
遮光部材６の先端部６ａは、不要光線１１の乱反射によるフレアを防止するために鋭角状に尖っている。本願発明者は、遮光部材６の素材によって、先端部６ａを透過する不要光線１１を大幅に低減できることを見出した。以下、図６を参照しながら詳細を説明する。
【００３２】
図６は、遮光部材６の先端部６ａの断面模式図である。
【００３３】
本実施形態による遮光部材６は、主材料であるポリマーアロイ樹脂２０にカーボンブラック２１が添加された樹脂材料によって射出成形によって作製されている。ポリマーアロイ樹脂２０は、たとえばＡＢＳ２０ａとポリカーボネート２０ｂとを含んでいる。これらは単に混合されているだけであり、ポリカーボネート２０ｂは粒状で存在している。
【００３４】
一般に、ＡＢＳ２０ａは光を透過しにくく、ポリカーボネート２０ｂは光を透過しやすい。遮光部材６の製造に当たって、光を透過しやすいとされるポリカーボネート２０ｂを添加することは通常行われることはない。しかしながら本願発明者は、ＡＢＳ２０ａとともにポリカーボネート２０ｂを添加した。
【００３５】
その利点は、ＡＢＳ２０ａの屈折率とポリカーボネート２０ｂの屈折率とが異なっていることにある。屈折率の相違により、ＡＢＳ２０ａとポリカーボネート２０ｂとの境界を通過する不要光線１１は屈折する。図６には、屈折する不要光線１１の例が示されている。図示されるように、不要光線１１はポリマーアロイ樹脂２０の内部で直進することが出来ないため、ポリマーアロイ樹脂２０内部で散乱される。これにより、遮光部材６の先端部６ａの肉厚が薄くなっても、不要光線が透過しにくくなる。また、遮光部材６の材料にはカーボンブラック２１が添加されているため、不要光線は遮光部材６をさらに透過しにくくなる。よって、光線の透過が少なく、フレアやゴースト等の光学的問題の発生しにくいレンズ鏡筒を実現することができる。
【００３６】
なお、上述の説明では、ＡＢＳとポリカーボネートとを含むポリマーアロイ樹脂を説明したが、これは一例である。ＡＢＳおよびＰＢＴ（Polybutylene Terephthalate）を含むポリマーアロイ樹脂、ＡＢＳおよびＰＡ（PolyAmide）を含むポリマーアロイ樹脂、ＰＳ（PolyStyrene）およびＰＣ（polycarbonate）を含むポリマーアロイ樹脂であってもよい。材料の少なくとも一方が粒状に残されていることが好ましい。いずれの例においても、カーボンブラック２１を添加してもよい。
【００３７】
なお、カーボンブラック２１の添加は、遮光効率をより向上させるために有効である。しかしながら、カーボンブラック２１が添加されていないポリマーアロイ樹脂２０であっても、従来よりも遮光効率を高めることは可能である。
【００３８】
ここで、本実施形態における遮光部材６と遮光リング４（図３、図４）とを説明する。
【００３９】
上述のとおり、遮光部材６および遮光リング４はいずれも、不要光線を遮るという点において同じ機能を有している。しかしながら、各々が配置される位置、材料等に関して大きく相違している。
【００４０】
まず本実施形態による遮光部材６は、レンズＬ３の近傍に、レンズＬ３に対して固定的に設けられている。一方、遮光リング４は、レンズ枠１と駆動枠２との間に設けられており、レンズに対して固定的に設けられていない。レンズに対する遮光リング４の位置は、変化する。
【００４１】
遮光部材６はレンズ鏡筒５０内部の比較的奥の位置に設けられ、レンズＬ３に入射する不要光線のみを遮る機能を有している。遮光部材６は埃等の異物を防ぐことを目的としていない。一方の遮光リング４は、レンズ枠１および駆動枠２の間であって、かつ、外縁に近い位置に設けられる。そして、遮光リング４はレンズ枠１と駆動枠２との間から入射しようとするすべての光線を遮る。また遮光リング４は、埃等の異物を防ぐ。
【００４２】
遮光部材６の主材料は、ポリマーアロイ樹脂である。また遮光部材６は、レンズに対して固定的に設けられるため、摺動負荷や、異音の発生が問題になることはない。一方、遮光リング４は、レンズ枠１および駆動枠２間の隙間を完全になくすため、レンズ枠に押し付けられ、若干変形して配置される。このため、遮光リング４の主材料は一般にゴム材料である。そして、遮光リング４とレンズ枠１とが摺動するため、遮光リング４の材料には、フッ素等の摺動性を良くするための添加剤が加えられることが多い。これにより、遮光リング４とレンズ枠１との摺動負荷を減らし、摺動時の異音の発生を防ぐことが可能になる。
【産業上の利用可能性】
【００４３】
本発明にかかる、遮光部材を備えたレンズ鏡筒によれば、レンズに入射する不要な光線を大幅に低減でき、フレアやゴースト等の光学的問題の発生を抑制できる。そのようなレンズ鏡筒を備えることにより、高品質な撮像結果を得ることが可能な撮像装置を得ることができる。
【符号の説明】
【００４４】
Ｌ１〜Ｌ７  レンズ
６  遮光部材
６ａ  先端部
１０  有効光線
１１  不要光線
２０  主材料のポリマーアロイ樹脂
２０ａ  ＡＢＳ
２０ｂ  ポリカーボネート
２１  カーボンブラック
４０  デジタルカメラ
５０  鏡筒
【図１】
2011048348.tif 000003
【図２】
2011048348.tif 000004
【図３】
2011048348.tif 000005
【図４】
2011048348.tif 000006
【図５】
2011048348.tif 000007
【図６】
2011048348.tif 000008
【図７】
2011048348.tif 000009
【図８】
2011048348.tif 000010